(57)【要約】 【目的】発信側の通信端末の呼種別に応じた着信音の切り換えを行うことが可能なＩＰ網通信システム及びＩＰ網通信システムの着信音切換方法を提供する。【構成】ＩＰネットワーク網に接続される複数の通信端末と、ＩＰネットワーク網に接続されるとともに通信端末間の通信制御を行う呼制御サーバと、ＩＰネットワーク網と通信端末との間に接続されるエンドポイント装置とを備えるＩＰ網通信システムにおいて、エンドポイント装置は発信側の通信端末の呼種別に応じて設定される複数の鳴動パターンを管理する鳴動パターン管理手段を有し、発信側の通信端末の呼種別に応じて付加される着信音識別情報を着信側のエンドポイント装置に通知し、着信音識別情報に基づき、鳴動パターン管理手段から鳴動パターンの１つを選択し、選択された鳴動パターンを着信側の通信端末へと送信し、発信側の通信端末の呼種別に応じた着信音の鳴り分けを行う着信音切換手段を備える。【選択図】  図１
2006237891.tif 000002
【特許請求の範囲】
【請求項１】
ＩＰネットワーク網に接続される複数の通信端末と、前記ＩＰネットワーク網に接続されるとともに、前記通信端末間の通信制御を行う呼制御サーバと、前記ＩＰネットワーク網と前記通信端末との間に接続されるエンドポイント装置とを備えるＩＰ網通信システムにおいて、
着信側の前記エンドポイント装置は、発信側の前記通信端末の呼種別に応じて設定される複数の鳴動パターンを保持する鳴動パターン管理手段を有しており、
発信側の前記通信端末の呼種別に応じて付加される着信音識別情報を受信するとともに、
前記着信音識別情報に基づき、前記鳴動パターン管理手段から前記鳴動パターンの１つを選択し、
選択された前記鳴動パターンを着信側の前記通信端末へと送信することにより、前記発信側の通信端末の呼種別に応じた着信音の鳴り分けを行う着信音切換手段を備えることを特徴とするＩＰ網通信システム。
【請求項２】
請求項１に記載のＩＰ網通信システムにおいて、前記着信音識別情報は前記呼制御サーバにて付与されることを特徴とするＩＰ網通信システム。
【請求項３】
請求項２に記載のＩＰ網通信システムにおいて、前記呼制御サーバは、前記発信側の通信端末それぞれに付与された識別番号と前記発信側の通信端末の呼種別とを対応付けて管理する管理データベースを有しており、
前記発信側の通信端末から前記管理データベースに対して通知される前記発信側の通信端末に付与された識別番号に基づき、前記発信側の通信端末の呼種別を判別して前記着信音識別情報を生成することを特徴とするＩＰ網通信システム。
【請求項４】
請求項１に記載のＩＰ網通信システムにおいて、前記鳴動パターンには、外線発信時パターンと内線又は専用線発信時パターンとが含まれていることを特徴とするＩＰ網通信システム。
【請求項５】
請求項１に記載のＩＰ網通信システムにおいて、前記呼制御サーバには、前記ＩＰネットワーク網上にて電話交換機能を実現するＩＰ−ＰＢＸ装置が接続されていることを特徴とするＩＰ網通信システム。
【請求項６】
請求項１に記載のＩＰ網通信システムにおいて、前記着信音識別情報は着信側の前記エンドポイント装置にて付与されることを特徴とするＩＰ網通信システム。
【請求項７】
請求項６に記載のＩＰ網通信システムにおいて、前記発信側のエンドポイント装置は、前記発信側の通信端末それぞれに付与された識別番号と前記発信側の通信端末の呼種別とを対応付けて管理する第１の管理データベース、又は、前記発信側のエンドポイント装置に接続される前記発信側の通信端末の呼種別を管理する第２の管理データベースを有しており、
前記発信側の通信端末から前記第１の管理データベースに対して通知される前記発信側の通信端末に付与された識別番号に基づき、前記発信側の通信端末の呼種別を判別して前記着信音識別情報を生成、若しくは、前記第２の管理データベースに基づき、前記発信側の通信端末の呼種別を判別して前記着信音識別情報を生成することを特徴とするＩＰ網通信システム。
【請求項８】
ＩＰネットワーク網に接続される複数の通信端末と、前記ＩＰネットワーク網に接続されるとともに、前記通信端末間の通信制御を行う呼制御サーバと、前記ＩＰネットワーク網に接続され、前記通信端末にも接続されるエンドポイント装置とを備えるＩＰ網通信システムにおける発信側の前記通信端末の呼種別に応じた着信音の鳴り分けを行う着信音切換方法において、
発信側の前記通信端末が接続要求とともに前記発信側の通信端末の呼種別情報を前記呼制御サーバに対して送信するステップと、
前記呼制御サーバが前記呼種別情報に基づき着信音識別情報を生成し、前記接続要求とともに生成した前記着信音識別情報を着信側の前記エンドポイント装置に対し通知するステップと、
前記着信側のエンドポイント装置に予め備えられ、前記通信端末の呼種別に応じ設定された複数の鳴動パターンを管理する鳴動パターン管理手段より、通知された前記着信音識別情報に応じた前記鳴動パターンの１つを選択するとともに、選択された前記鳴動パターンを着信側の前記通信端末へと送信するステップとを有することを特徴とするＩＰ網通信システムにおける着信音切換方法。
【請求項９】
請求項８記載の着信音切換方法において、前記呼制御サーバは、前記発信側の通信端末それぞれに付与された識別番号と前記発信側の通信端末の呼種別とを対応付けて管理する管理データベースを備えており、
前記接続要求とともに送信される前記発信側の通信端末から前記管理データベースに対して通知される前記発信側の通信端末に付与された識別番号に基づき、前記発信側の通信端末の呼種別を判別して前記着信音識別情報を生成することを特徴とするＩＰ網通信システムにおける着信音切換方法。
【請求項１０】
ＩＰネットワーク網に接続される複数の通信端末と、前記ＩＰネットワーク網に接続されるとともに、前記通信端末間の通信制御を行う呼制御サーバと、前記ＩＰネットワーク網に接続され、前記通信端末にも接続されるエンドポイント装置とを備えるＩＰ網通信システムにおける発信側の前記通信端末の呼種別に応じた着信音の鳴り分けを行う着信音切換方法において、
発信側の前記通信端末が接続要求と前記発信側の通信端末の呼種別情報とを発信側の前記エンドポイント装置に対して送信するステップと、
前記発信側のエンドポイント装置が前記呼種別情報に基づき着信音識別情報を生成し、前記接続要求とともに生成した前記着信音識別情報を前記呼制御サーバを介して着信側の前記エンドポイント装置に通知するステップと、
前記着信側のエンドポイント装置に予め備えられ、前記通信端末の呼種別に応じ設定された複数の鳴動パターンを管理する鳴動パターン管理手段より、通知された前記着信音識別情報に応じた前記鳴動パターンの１つを選択するとともに、選択された前記鳴動パターンを着信側の前記通信端末へと送信するステップとを有することを特徴とするＩＰ網通信システムにおける着信音切換方法。
【請求項１１】
請求項１０記載の着信音切換方法において、前記発信側のエンドポイント装置は、前記発信側の通信端末それぞれに付与された識別番号と前記発信側の通信端末の呼種別とを対応付けて管理する第１の管理データベース、又は、前記発信側のエンドポイント装置に接続される前記発信側の通信端末の呼種別を管理する第２の管理データベースを有しており、
前記接続要求とともに前記発信側の通信端末から前記第１の管理データベースに対して送信される前記発信側の通信端末に付与された識別番号に基づき、前記発信側の通信端末の呼種別を判別して前記着信音識別情報を生成、若しくは、前記第２の管理データベースに基づき、前記発信側の通信端末の呼種別を判別して前記着信音識別情報を生成することを特徴とするＩＰ網通信システムにおける着信音切換方法。
【発明の詳細な説明】
【技術分野】
【０００１】
本発明は、ＩＰ（Ｉｎｔｅｒｎｅｔ Ｐｒｏｔｏｃｏｌ）ネットワークのプライベートネットワーク上でＶｏＩＰ（Ｖｏｉｃｅ Ｏｖｅｒ  Ｉｎｔｅｒｎｅｔ Ｐｒｏｔｏｃｏｌ）を用いた呼制御を行う通信、特に、呼制御プロトコルとして、ＳＩＰ（Ｓｅｓｓｉｏｎ Ｉｎｉｔｉａｔｉｏｎ Ｐｒｏｔｃｏｌ）等を用いたＩＰ網通信システムにおける着信音の鳴り分け技術に関するものである。
【背景技術】
【０００２】
従来、ＩＰネットワーク網（以下、「ＶｏＩＰ網」と呼ぶ。）及び、公衆交換電話網（以下、「ＰＳＴＮ網」と呼ぶ。）に接続された電話交換機において、例えば、外線着信に対して、交換手が一度応答または対応した上で内線に接続・転送する局線中継台装置といった発信側の通信端末の種別、また、例えば、内線、専用線または外線といった発信側の通信端末の呼種別に応じて着信側の通信端末機の着信音の鳴り分けを実現する着信音切換技術があった。
具体的には、発信側の通信端末の呼種別（内線や専用線からの着信／外線（以下、「局線」と呼ぶ。）から内線への着信／ダイレクトインダイヤル（ＤＩＤ：Ｄｉｒｅｃｔ Ｉｎ Ｄｉａｌ）からの着信／ダイレクトインライン（ＤＩＬ：Ｄｉｒｅｃｔ Ｉｎ Ｌｉｎｅ）からの着信／ＰＢＸダイヤルインからの着信）に応じて着信側の通信端末機の着信音を切り換え、着信音にていずれからの着信であるかを区別する技術等である。
【０００３】
図１４は、従来の着信音切換を可能とするＩＰ網通信システムでの着信音の鳴り分け技術を説明するための図である。
【０００４】
従来のＩＰ網通信システム１４００は、ＶｏＩＰ網１４０１及びＰＳＴＮ網１４０２のそれぞれに接続されており、ＶｏＩＰ網１４０１に接続される通信端末１４０３（１４０３ａ、１４０３ｂ）と、ＰＳＴＮ網１４０２に接続される通信端末１４０４とを有している。さらに、ＶｏＩＰ網１４０１は、呼制御を行う呼制御サーバ１４０５と、ＶｏＩＰ網１４０１とＶｏＩＰ網１４０１に接続された通信端末１４０３との間に接続されるエンドポイント装置１４０６（１４０６ａ、１４０６ｂ）とを備え、これらの構成にてＩＰ網通信システム１４００が構成されている。
従来のＩＰ網通信システム１４００では、着信側のエンドポイント装置１４０６ｂが、ＶｏＩＰ網１４０１を介した内線からの着信であれば、例えば、事業用電気通信設備にて規定された内線呼出信号（ＳＩＲ：Ｓｅｃｏｎｄ Ｉｎｔｅｒ Ｒｉｎｇｉｎｇ）に対応する周波数や信号送出間隔を検出、また、ＰＳＴＮ網１４０２を介した外線からの着信であれば、事業用電気通信設備にて規定された外線呼出信号（ＩＲ：Ｉｎｔｅｒ Ｒｉｎｇｉｎｇ）に対応する周波数や信号送出間隔を検出し、ＰＳＴＮ網からの着信とＶｏＩＰ網からの着信とを判別することで、通信端末における着信音の鳴り分けを行っていた。
【０００５】
すなわち、従来のＶｏＩＰ装置における着信音の切換技術では、ＶｏＩＰ網を通過した着信であるか、又は、ＰＳＴＮ網を通過した着信であるかを判断し、その上で電話回線に送出する鳴動パターンをそれぞれ指定することで、着信側の通信端末の着信音の切換を実現していた。つまり、従来のＶｏＩＰ装置における着信音の切換技術は、ＶｏＩＰ網が障害などでＰＳＴＮ網に迂回接続する場合や、消防や救急等の緊急特番ダイヤル（緊急通報）のためのＰＳＴＮ網のインターフェースを備えている場合に限られていた。
【特許文献１】特開平１１−２７５２３１号公報
【非特許文献１】Ｊ．Ｒｏｓｅｎｂｅｒｇ編、"ＳＩＰ：Ｓｅｓｓｉｏｎ ＩｎｉｔｉａｔｉｏｎＰｒｏｔｏｃｏｌ"、［ｏｎｌｉｎｅ］、２００２年６月、［２００５年２月１５日検索］インターネット＜ＵＲＬ：ｈｔｔｐ：／／ｗｗｗ．ｉｅｔｆ．ｏｒｇ／ｒｆｃ／ｒｆｃ３２６１．ｔｘｔ？ｎｕｍｂｅｒ＝３２６１＞
【非特許文献２】Ｍ．Ａｒａｎｇｏ編、”Ｍｅｄｉａ Ｇａｔｅｗａｙ  Ｃｏｎｔｒｏｌ Ｐｒｏｔｏｃｏｌ （ＭＧＣＰ） Ｖｅｒｓｉｏｎ １．０”、［ｏｎｌｉｎｅ］、１９９９年５月、［２００５年２月１５日検索］インターネット＜ＵＲＬ：ｈｔｔｐ：／／ｗｗｗ．ｉｅｔｆ．ｏｒｇ／ｒｆｃ／ｒｆｃ２７０５．ｔｘｔ？ｎｕｍｂｅｒ＝２７０５＞
【非特許文献３】ＩＴＵ−Ｔ勧告  Ｈ．３２３
【発明の開示】
【発明が解決しようとする課題】
【０００６】
しかしながら、以上で述べたいずれの従来技術も、ＰＳＴＮ網のインターフェースを備えていない、又は、ＶｏＩＰ網のみを介する通信システムにおいて通信を行う場合、通信確立時にやり取りされる呼制御信号情報だけでは、外線からの着信であるのか、または内線・専用線からの着信であるかの判別ができず、発信者の通信端末種別、呼種別による着信音の切り換えを行うことができなかった。
つまり、着信者は、電話端末の着信音から、電話を掛けてきた相手の呼種別を識別することができないため、社外からの外線電話と社内からの内線電話との区別ができず、結果として、会社名又は部署名の応答であるかを特定することができなかった。
【０００７】
そこで、本発明は、上述の従来例の課題に鑑み、ＰＳＴＮ網のインターフェースを備えていない、又は、ＶｏＩＰ網のみを介して通信されるＩＰ網通信システムにおいても、着信音の鳴り分けを可能とするＩＰ網通信システムおよびＩＰ網通信システムにおける着信音切換方法を提供することを目的とする。
【課題を解決するための手段】
【０００８】
上記課題を解決するため、本発明に係るＩＰ網通信システムの代表的なものによれば、ＩＰネットワーク網に接続される複数の通信端末と、ＩＰネットワーク網に接続されるとともに、通信端末間の通信制御を行う呼制御サーバと、ＩＰネットワーク網と通信端末との間に接続されるエンドポイント装置とを備えるＩＰ網通信システムにおいて、着信側のエンドポイント装置は、発信側の通信端末の呼種別に応じて設定される複数の鳴動パターンを保持する鳴動パターン管理手段を有しており、発信側の通信端末の呼種別に応じて付加される着信音識別情報を受信するとともに、着信音識別情報に基づき、鳴動パターン管理手段から鳴動パターンの１つを選択し、選択された鳴動パターンを着信側の通信端末へと送信することにより、発信側の通信端末の呼種別に応じた着信音の鳴り分けを行う着信音切換手段を備える。
【０００９】
また、本発明に係るＩＰ網通信システムにおける着信音切換方法の代表的なものの１つによれば、ＩＰネットワーク網に接続される複数の通信端末と、ＩＰネットワーク網に接続されるとともに、通信端末間の通信制御を行う呼制御サーバと、ＩＰネットワーク網に接続され、通信端末にも接続されるエンドポイント装置とを備えるＩＰ網通信システムにおける発信側の通信端末の呼種別に応じた着信音の鳴り分けを行う着信音切換方法において、発信側の通信端末が接続要求とともに発信側の通信端末の呼種別情報を呼制御サーバに対して送信するステップと、呼制御サーバが呼種別情報に基づき着信音識別情報を生成し、接続要求とともに生成した着信音識別情報を着信側のエンドポイント装置に対し通知するステップと、着信側のエンドポイント装置に予め備えられ、通信端末の呼種別に応じ設定された複数の鳴動パターンを管理する鳴動パターン管理手段より、通知された着信音識別情報に応じた鳴動パターンの１つを選択するとともに、選択された鳴動パターンを着信側の通信端末へと送信するステップとを有する。
【００１０】
さらに、本発明に係るＩＰ網通信システムにおける着信音切換方法の他の例によれば、ＩＰネットワーク網に接続される複数の通信端末と、ＩＰネットワーク網に接続されるとともに、通信端末間の通信制御を行う呼制御サーバと、ＩＰネットワーク網に接続され、通信端末にも接続されるエンドポイント装置とを備えるＩＰ網通信システムにおける発信側の通信端末の呼種別に応じた着信音の鳴り分けを行う着信音切換方法において、発信側の通信端末が接続要求と発信側の通信端末の呼種別情報とを発信側のエンドポイント装置に対して送信するステップと、発信側のエンドポイント装置が呼種別情報に基づき着信音識別情報を生成し、接続要求とともに生成した着信音識別情報を呼制御サーバを介して着信側のエンドポイント装置に通知するステップと、着信側のエンドポイント装置に予め備えられ、通信端末の呼種別に応じ設定された複数の鳴動パターンを管理する鳴動パターン管理手段より、通知された着信音識別情報に応じた鳴動パターンの１つを選択するとともに、選択された鳴動パターンを着信側の通信端末へと送信するステップとを有する。
【００１１】
これらの構成により本発明におけるＩＰ網通信システムおよび着信音切換方法によれば、いずれのＩＰ網通信システムにおいても、発信側の通信端末の呼種別に応じた着信音の切り換えを行うことが可能となる。
【発明の効果】
【００１２】
この発明によれば、インターフェースの有無や、接続される通信網の種類に関係なく、発信側の通信端末の呼種別に応じた着信音の切り換えを行うことが可能となり、結果として、通信端末の着信音から、発信側の呼種別を識別することが可能となる。
【発明を実施するための最良の形態】
【００１３】
以下に本願発明を実施するための最良の形態を示す。なお、以下、本発明を実施するための最良の形態においては、呼制御プロトコルとしてＳＩＰを用いるＩＰ網通信システムを例に挙げて説明を行う。
【実施例１】
【００１４】
以下、本発明の第１の実施形態について、図１−図７の図面を参照して詳細に説明する。
【００１５】
図１は、本発明の第１の実施形態におけるＩＰ網通信システム１００の構成を示す構成図であり、図２は、第１の実施形態におけるＩＰ網通信システム１００を用いた着信音情報通知方法を説明するための概略図である。
【００１６】
図３は、本発明の第１の実施形態におけるＩＰ網通信システム１００において、発信側の通信端末に接続されたエンドポイント装置を介した場合における着信音の鳴り分けを示すシーケンス図であり、図４は、図３にて説明したシーケンスにおいて、呼制御サーバ及び着信側のエンドポイント装置間でやり取りされるメッセージ内容を示す図である。
【００１７】
図５は、着信音識別情報を付与する呼制御サーバ１０４に設けられる発信装置・呼種別による鳴動パターン種別を含むテーブルを説明する図であり、図６は、ＩＰネットワークに接続されたＩＰ−ＰＢＸ装置を介した場合における着信音の鳴り分けを示すシーケンス図である。
【００１８】
図７は、本発明のＩＰ網通信システム１００を構成する各構成要素を示したブロック図であり、各ブロックは呼制御サーバからエンドポイント装置へ着信音識別情報を通知し、通知された着信音識別情報に基づき着信側通信端末の鳴り分けを実現するまでに関連する構成を示している。
なお、いずれの図においても、同様の構成物には同一符号が付与されている。
【００１９】
本発明の第１の実施形態におけるＩＰ網通信システム１００は、ＶｏＩＰ網１０１に接続された発信側の通信端末１０２（１０２ａ、１０２ｂ、１０２ｃ）および着信側の通信端末１０３を備えている。また、第１の実施形態におけるＩＰ網通信システム１００においては、ＶｏＩＰ網１０１にこれらの通信端末間の通信制御を行う呼制御サーバ１０４が接続されている。
【００２０】
呼制御サーバ１０４と通信端末１０２、１０３との間には、ＶｏＩＰ網１０１を介して、ＳＩＰ対応のＩＰ電話アダプタ、アナログ・専用線・局線インターフェースをもつＶｏＩＰゲートウェイ、パーソナルコンピュータベースのソフトフォン、ワイヤレス（無線）ＩＰ電話などが含まれるＳＩＰエンドポイント装置１０５（１０５ａ，１０５ｂ，１０５ｃ）、１０６が接続されている。
【００２１】
また、図１のＩＰ網通信システム１００には、一方が、呼制御サーバ１０４とＶｏＩＰ網１０１を介して接続されるとともに、他方に、種類の異なる複数の回線１０８（局線１０８ａ／専用線１０８ｂ／内線１０８ｃ）がそれぞれ接続されるインターフェースを有したＩＰ−ＰＢＸ装置１０７が設けられている。
【００２２】
呼制御サーバ１０４は、ＳＩＰエンドポイント装置１０５、１０６やＩＰ−ＰＢＸ装置１０７のＰＢＸインターフェース側の端末種別・呼種別を管理するものであり、図７に示すように、ＶｏＩＰ網１０１に接続されたＩＰ通信制御部７０１、ＩＰ通信制御部７０１に接続されたＳＩＰ制御部７０２及びＩＰ−ＰＢＸ制御部７０３、ＳＩＰ制御部７０２及びＩＰ−ＰＢＸ制御部７０３に接続された呼制御部７０４、呼制御部７０４から送信される電話番号等の通信端末の識別番号と呼種別やＩＰアドレスを管理する管理データベース２０１を備えるデータ管理部７０５を備える。
【００２３】
呼制御サーバ１０４のＩＰ通信制御部７０１はＶｏＩＰ網１０１から送受信したＩＰパケットの制御を行い、ＳＩＰ制御部７０２はＶｏＩＰ網１０１に接続されているＳＩＰエンドポイント装置の制御を行う。また、ＩＰ−ＰＢＸ制御部７０３はＶｏＩＰ網１０１に接続されているＩＰ−ＰＢＸ装置との通信制御を行い、呼制御部７０４はそれぞれの呼状態の管理や番号翻訳などを行う。データ管理部７０５は、ＶｏＩＰ網１０１に接続されているＳＩＰエンドポイント装置やＩＰ−ＰＢＸ装置の電話番号情報やＩＰアドレスと電話番号の対応や端末種別・呼種別また、呼種別から着信音識別情報を管理する管理データベース２０１を備え、発信側の通信端末１０２より送信された識別番号に基づき、管理データベース２０１を参照し、対応する着信音識別情報を呼制御部７０４に対して送信する。
【００２４】
また、ＳＩＰエンドポイント装置１０６は、図７に示すように、ＶｏＩＰ網１０１に接続されたＩＰ通信制御部７１１、ＩＰ通信制御部７１１に接続されたＳＩＰ制御部７１２、ＳＩＰ制御部７１２に接続された呼制御部７１３、複数の鳴動パターン（周波数や信号送出間隔）を管理する鳴動パターン管理データベース７１４を備えるデータ管理部７１５、着信側の通信端末１０３に接続されたハード制御部７１６を備える。
【００２５】
ＳＩＰエンドポイント装置１０６のＩＰ通信制御部７１１及び呼制御部７１３は、呼制御サーバ１０４のＩＰ通信制御部７０１及び呼制御部７０４と同様、ＩＰ通信制御部７１１はＶｏＩＰ網１０１から送受信したＩＰパケットの制御を行い、呼制御部７１３はそれぞれの呼状態の管理や番号翻訳などを行う。ＳＩＰ制御部７１２は、ＶｏＩＰ網１０１に接続されている呼制御サーバ、ＳＩＰエンドポイント装置、ＩＰ−ＰＢＸ装置間におけるパケット送受信の通信制御を行う。データ管理部７１５は、着信音識別情報と、各呼種別に応じて規定される周波数、信号送出間隔を対応付ける鳴動パターンとを関連付けて管理する鳴動パターン管理データベース７１４を備え、呼制御サーバ１０４から通知された着信音識別情報に基づき、鳴動パターン管理データベース７１４を参照し、対応する鳴動パターンを呼制御部７１３に対して送信する。ハード制御部７１６は、着信側の通信端末１０３とのインターフェース制御を行い、鳴動パターン管理データベース７１４にて管理している鳴動パターンに基づき、着信側の通信端末１０３に対し、着信音の鳴り分け指示７３０を行う。
【００２６】
ＩＰ−ＰＢＸ装置１０７は、ＩＰ機能と従来のＰＢＸ機能の両方を備えた装置であり、ＰＢＸインターフェース側は、従来のＰＢＸがもつ局線（ＤＩＤ／ＤＩＬ／ＰＢＸダイヤルイン）や専用線、内線等の機能を実現する。図７に示すように、ＩＰ−ＰＢＸ装置１０７は、ＶｏＩＰ網１０１に接続されたＩＰ通信制御部７２１、ＩＰ通信制御部７２１に接続された呼制御部７２２、呼制御部７２２に接続されたＰＢＸ通信制御部７２３、ＩＰ通信制御部７２１と呼制御部７２２及びＰＢＸ通信制御部７２３のそれぞれに接続され、電話番号情報、呼種別、ＩＰアドレス等を管理する番号翻訳データベース７２４を備えるデータ管理部７２５とを備える。
【００２７】
ＩＰ−ＰＢＸ装置１０７のＩＰ通信制御部７２１は、ＶｏＩＰ網１０１から送受信したＩＰパケットの制御、及びＩＰ−ＰＢＸメッセージの生成を行い、呼制御部７２２はそれぞれの呼状態の管理や番号翻訳などを行う。ＰＢＸ通信制御部７２３はＰＢＸインターフェースの内線や専用線、局線の通信制御やサービス機能の制御を行い、データ管理部７２５は、内線や専用線、局線、呼制御サーバの番号翻訳情報を管理する番号翻訳データベース７２４を備え、ＩＰ−ＰＢＸメッセージに付与するメッセージ内容である番号情報（ＩＰアドレス、電話番号、着信音識別情報等）を管理する。
【００２８】
以下、図１を用いて、呼制御サーバ１０４とＩＰ−ＰＢＸ装置１０７、ＳＩＰエンドポイント装置１０５、１０６がＶｏＩＰ網１０１に接続された構成で、ＳＩＰエンドポイント装置１０６が着信音の鳴り分けを実現する方法について説明する。
【００２９】
まず、呼接続時に呼制御サーバ１０４は、接続要求とともに発信側の通信端末より送信された発信側通信端末の種別情報（端末種別、呼種別）に基づき、発信側の端末種別や呼種別から予めデータ設定されている対応の着信音を識別する情報（以下、「着信音識別情報」と呼ぶ。）を生成し、着信側のＳＩＰエンドポイント装置１０６に対して通知する。
【００３０】
着信側のＳＩＰエンドポイント装置１０６は、この通知された着信音識別情報に基づき、予め鳴動パターンが保持された鳴動パターン管理手段から設定された鳴動パターンの１つを選択し、電話機収容回線へ周波数、信号送出間隔を送出し、着信音の鳴り分けを行う。
着信側のＳＩＰエンドポイント装置１０６の鳴動パターン管理手段においては、外線呼出信号（ＩＲ）と内線呼出信号（ＳＩＲ）、着信転送警告信号：外線個別着信信号（ＴＩＲ：Ｔｈｉｒｄ Ｉｎｔｅｒ  Ｒｉｎｇｉｎｇ）、その他の鳴動パターン（予備）の各鳴動パターンが予め設定されており、これらの鳴動パターンに対応する周波数や信号送出間隔を区別することで発信側通信端末の呼種別を確認する。なお、ＩＲ、ＳＩＲ、ＴＩＲの呼出信号の電気的条件は、事業用電気通信設備に規定される通りである。
【００３１】
次に、図２を用いて、ＳＩＰ制御信号を用いた着信音識別情報の通知方法を説明する。
図２の着信音識別情報の通知方法では、呼制御サーバ１０４に設けられた、例えば、電話番号、ＳＩＰ−ＵＲＩ等の発信側の通信端末１０２のそれぞれに付与された識別番号と発信側の通信端末１０２の呼種別とを対応付けて管理する管理データベース２０１に基づき、呼制御サーバ１０４がＳＩＰメッセージに発信側の通信端末の端末種別や呼種別に応じて設定される着信音識別情報２０５を生成し付与する。管理データベース２０１には、発信側の通信端末１０２それぞれに付与された識別番号と対応する呼種別とが対応付けられたテーブル等が管理されている。
【００３２】
発信時、発信側の通信端末１０２から呼制御サーバ１０４に対し、ＳＩＰメッセージを含む呼制御信号２０２が送信される。発信側の通信端末１０２から呼制御信号２０２を受信した呼制御サーバ１０４は、発信側の通信端末の端末種別や呼種別に応じた着信音識別情報を生成し、ＳＩＰメッセージに着信音識別情報２０５を付与した呼制御信号２０４を着信側のエンドポイント装置１０６へと送信する。
【００３３】
これにより、着信音識別情報２０５が着信側のＳＩＰエンドポイント装置１０６へと通知され、通知を受けたＳＩＰエンドポイント装置１０６が、自身に設けられた鳴動パターン管理手段において、呼制御サーバ１０４から送信された着信音識別情報に対応する鳴動パターンを選択し、選択した鳴動パターンを着信側の通信端末１０３へと送信することにより、発信側の通信端末１０２ａ〜１０２ｃの呼種別に応じた着信音の鳴り分けを実現する。
【００３４】
なお、ＳＩＰエンドポイント装置１０５を介さず、ＩＰ−ＰＢＸ装置１０７を用いる場合においては、ＩＰ−ＰＢＸ装置１０７および呼制御サーバ１０４間のやり取りで用いる呼制御信号として、ＳＩＰメッセージではなく非標準メッセージ（以下、「ＩＰ−ＰＢＸメッセージ」と呼ぶ。）を含む呼制御信号２０３が用いられる。
【００３５】
次に、第１の実施形態のＩＰ網通信システムにおける着信音識別情報の通知シーケンスについて図を用いて説明する。
【００３６】
図３は、ＳＩＰエンドポイント装置１０５が発信側のシーケンスを説明する図である。
呼制御プロトコルとしてＳＩＰを用いる本第１の実施形態においては、図３に示すように、呼制御サーバ１０４からＳＩＰエンドポイント装置１０６への着信音識別情報の通知に、ＳＩＰシーケンスの「Ｆ２ ＩＮＶＩＴＥ（セッション確立要求）メッセージ」が用いられている。
【００３７】
呼制御サーバ１０４は、発信側の通信端末１０２に付与された識別番号（電話番号）から呼種別を参照し、端末種別・呼種別と一致した着信音識別情報をＦ２ ＩＮＶＩＴＥメッセージに付与することで、ＳＩＰエンドポイント装置１０６へ着信音識別情報を通知する。
【００３８】
ＳＩＰでは、テキストベースの“Ｘ”で始める拡張パラメータを使用することにより、非標準であるデータフィールドを付与することが可能であるため、本実施形態のＩＰ網通信システム１００では、この“Ｘ”パラメータを利用して、呼制御サーバ１０４からＳＩＰエンドポイント装置１０６への着信音識別情報の通知を行う。第１の実施形態におけるＩＰ網通信システム１００においては、この拡張パラメータに着信音識別情報を設定することで、着信側の通信端末における着信音の鳴り分けを実現する。
【００３９】
図４に、呼制御サーバ１０４とＳＩＰエンドポイント装置１０６間でのＳＩＰメッセージ内容の具体的なやり取り例を示す。
図４において、“Ｘ−ＲｉｎｇｅｒＴｙｐｅ:ＴｙｐｅＮ”４０１の文字列が着信音識別情報である。本実施形態において、着信音識別情報（Ｘ−ＲｉｎｇｅｒＴｙｐｅ:ＴｙｐｅＮ）は、設定されるそれぞれの鳴動パターン毎に用意される。本実施形態においては、タイプ１（Ｔｙｐｅ１）＝ＩＲ、タイプ２（Ｔｙｐｅ２）＝ＳＩＲ、タイプ３（Ｔｙｐｅ３）＝ＴＩＲ、タイプ４（Ｔｙｐｅ４）＝その他の４パターンが用意されている。
本実施形態のＳＩＰエンドポイント装置１０６では、それぞれのタイプに合った鳴動パターンを選択して電話機収容回線へ送出し、着信側の通信端末１０３に対して所定の着信音での呼び出しを指示し着信音の切り換えを行う。
【００４０】
図５は、着信音識別情報を付与する呼制御サーバ１０４内に設けられる発信装置・呼種別による鳴動パターン種別を含む管理テーブル５００である。
【００４１】
着信音識別情報を付与する呼制御サーバ１０４においては、発信側の通信端末１０２における呼種別と、ＳＩＰメッセージに付与する着信音識別情報（Ｘ−ＲｉｎｇｅｒＴｙｐｅ）と、着信側のＳＩＰエンドポイント装置１０６が着信側の通信端末１０３に対し送信する鳴動パターン種別とを対応付けて管理するテーブル５００が設けられている。本実施形態におけるＩＰ網通信システム１００では、このテーブル５００をもとに着信音識別情報を含むＳＩＰメッセージが生成される。
【００４２】
このようにして生成されたＳＩＰメッセージが、着信側のＳＩＰエンドポイント装置１０６に対し送信され、ＳＩＰメッセージに含まれる着信音識別情報に基づき、着信側のＳＩＰエンドポイント装置１０６に設けられた鳴動パターン管理手段により対応する所定の鳴動パターンが選択される。さらに、本発明のＩＰ網通信システムにおいては、選択された鳴動パターンに基づき、着信側の通信端末１０３に対する着信音の指示がなされることで、着信側の通信端末１０３は発信側の通信端末１０２ａ〜１０２ｃの呼種別に応じた着信音の呼び出しを行うことが可能となる。
【００４３】
以上、詳細に説明したように本発明の第１の実施形態におけるＩＰ網通信システムおよび着信音切換方法によれば、インターフェースの有無や、接続される通信網の種類に関係なく、発信側の通信端末の呼種別に応じた着信音の切り換えを行うことが可能となり、結果として、通信端末の着信音から、発信側の呼種別を識別することが可能となる。
【００４４】
また、ＩＰ−ＰＢＸ装置１０７が発信側である場合についても、図６に示したシーケンスのように、呼制御サーバ１０４がＩＰ−ＰＢＸ装置のＰＢＸインターフェース側の呼種別を参照し、端末種別・呼種別と一致した着信音識別情報を「Ｆ２ ＩＮＶＩＴＥメッセージ」に付与することで、着信側の通信端末における着信音の鳴り分けを実現することが可能となる。この場合、ＳＩＰエンドポイント装置１０６へ着信音識別情報を通知し、拡張パラメータに着信音識別情報を設定することにより着信音の鳴り分けが実現される。
【００４５】
さらに、呼制御サーバ１０４にて発信側の通信端末の呼種別に応じた着信音識別情報を付与する第１の実施形態でのＩＰ網通信システムおよび着信音切換方法によれば、発信側のエンドポイント装置に着信音識別情報設定をサポートしていない装置を用いる場合においても、呼制御サーバ１０４で対応する着信音識別情報を付与することが可能であるため、いかなる構成を有する発信側のエンドポイント装置であっても着信音の鳴り分けを実現することが可能となる。つまり、エンドポイント装置の性能や規格、製造メーカによらず、ＩＰ網通信システムにおける着信音の鳴り分けを実現することが可能となる。
【実施例２】
【００４６】
次に、図８−図１３の図面を参照して本発明の第２の実施形態におけるＩＰ網通信システムおよび着信音切換方法について説明する。
【００４７】
図８は、本発明の第２の実施形態におけるＩＰ網通信システム８００の構成を示す構成図であり、図９は、第２の実施形態におけるＩＰ網通信システム８００を用いた着信音情報通知方法を説明するための概略図である。
図１０は、本発明の第２の実施形態におけるＩＰ網通信システム８００において、発信側の通信端末に接続されたエンドポイント装置を介した場合における着信音の鳴り分けを示すシーケンス図であり、図１１は、図１０にて説明したシーケンスにおいて、発信側のエンドポイント装置及び呼制御サーバ間でやり取りされるメッセージ内容を示す図である。
図１２は、本発明の第２の実施形態におけるＩＰ網通信システム８００のＩＰネットワークに接続されたＩＰ−ＰＢＸ装置を介する場合での着信音の鳴り分けを示すシーケンス図であり、図１３は、図１２にて説明したシーケンスにおいて、発信側であるＩＰ−ＰＢＸ装置及び呼制御サーバ間でやり取りされるメッセージ内容を示す図である。
なお、先述の第１の実施形態と同様の構成物には同一符号を付しその詳細な説明は省略する。
【００４８】
先の第１の実施形態においては、呼制御サーバ１０４がＳＩＰエンドポイント装置１０５の端末種別・呼種別を管理し、呼接続時に着信側のＳＩＰエンドポイント装置１０６に対して、着信音識別情報を通知することで、着信音の切り換えを実現していた。これに対し、図８に示すように、本発明の第２の実施形態のＩＰ網通信システム８００では、呼制御サーバ８０１が着信音識別情報を通知するのではなく、発信側のＳＩＰエンドポイント装置８０２（８０２ａ、８０２ｂ、８０２ｃ）が、自身の有する端末・呼種別情報から着信音識別情報を着信側のＳＩＰエンドポイント装置８０５に対し着信音識別情報を通知することで、着信音の鳴り分けを実現するものである。
【００４９】
また、第２の実施形態のＩＰ網通信システム８００においても、一方が、呼制御サーバ８０１とＶｏＩＰ網１０１を介して接続されるとともに、他方に、種類の異なる複数の回線８０４（局線８０４ａ／専用線８０４ｂ／内線８０４ｃ）がそれぞれ接続されるインターフェースを有し、かつ、発信側の端末・呼種別情報を通知する機能を有するＩＰ−ＰＢＸ装置８０３が設けられている。
【００５０】
以下、図９を用いて、第２の実施形態における着信音識別情報の通知方法について詳細に説明する。
【００５１】
図９の着信音識別情報の通知方法では、発信側のＳＩＰエンドポイント装置８０２又はＩＰ−ＰＢＸ装置８０３が、例えば、発信側のエンドポイント装置であるＩＰ−ＰＢＸ装置８０３およびＳＩＰエンドポイント装置８０２のそれぞれに設けられた、ＩＰ−ＰＢＸ装置８０３に接続されたそれぞれの回線８０４（局線８０４ａ／専用線８０４ｂ／内線８０４ｃ）を通じて発信する通信端末に付与された識別番号と発信側の通信端末の呼種別とを対応付けて管理する第１の管理データベース９０１ａ、又は、発信側ＳＩＰエンドポイント装置８０２に設けられた、例えば、発信側ＳＩＰエンドポイント装置に接続される発信側の通信端末の呼種別を管理する第２の管理データベース９０１ｂのいずれかに基づき、ＳＩＰメッセージ又はＩＰ−ＰＢＸメッセージに発信側の通信端末の端末種別や呼種別に応じて設定される着信音識別情報を生成し付与する。なお、管理データベース９０１には、第１の実施形態において、図５に示したテーブル５００と同様のテーブルが設けられており、このテーブルをもとに着信音識別情報を含むＳＩＰメッセージ又はＩＰ−ＰＢＸメッセージが生成される。
【００５２】
発信時、発信側の通信端末１０２から発信側のＳＩＰエンドポイント装置８０２に対し、発信側の通信端末１０２の端末種別・呼種別情報が通知され、これを受信したＳＩＰエンドポイント装置８０２は、自身が有する管理データベース９０１のテーブルを参照し対応する着信音識別情報を生成し、ＳＩＰメッセージ内に所定の着信音識別情報を付与した呼制御信号９０２を、呼制御サーバ８０１を介して着信側のＳＩＰエンドポイント装置８０５に対し送信する。
【００５３】
第２の実施形態におけるＩＰ網通信システムでは、呼制御サーバ８０１は発信側のＳＩＰエンドポイント装置８０２が通知した着信音識別情報をそのまま通過させる。発信側のＳＩＰエンドポイント装置８０２にて付与された着信音識別情報９０５が着信側のＳＩＰエンドポイント装置８０５に通知され、ＳＩＰエンドポイント装置８０５内の鳴動パターン管理手段において、対応する鳴動パターンが選択され、選択された鳴動パターンを着信側の通信端末に対して通知することにより、呼種別に応じた着信音の鳴り分けを実現する。
【００５４】
なお、第２の実施形態のＩＰ網通信システムにおいても、発信側がＳＩＰエンドポイント装置８０２ではなく、ＩＰ−ＰＢＸ装置８０３の場合は、ＩＰ−ＰＢＸメッセージに着信音識別情報を追加した呼制御信号９０３により通知を行い、呼制御サーバ８０１がＩＰ−ＰＢＸ装置８０３から通知された情報をＳＩＰの着信音識別情報に変換することで着信側のＳＩＰエンドポイント装置８０５への通知を行い、呼種別に応じた着信音の鳴り分けを実現する。
【００５５】
次に、図１０を用いて、第２の実施形態のＩＰ網通信システムにおける着信音識別情報の通知シーケンスを説明する。
【００５６】
呼制御プロトコルとしてＳＩＰを用いた第２の実施形態においては、発信側のＳＩＰエンドポイント装置８０２にて着信音識別情報が生成され、発信側のＳＩＰエンドポイント装置８０２から発信されるセッション確立要求メッセージ（Ｆ２ ＩＮＶＩＴＥメッセージ）に着信音識別情報が付与されて呼制御サーバ８０１に着信音識別情報が通知されるとともに、着信音識別情報が付与された「Ｆ２ ＩＮＶＩＴＥメッセージ」が着信側のＳＩＰエンドポイント装置８０５に対して通知される。着信音識別情報が発信側のＳＩＰエンドポイント装置８０２にて付与されて送信される以外は、先に説明した第１の実施形態と同じシーケンスにて着信音の鳴り分けが実現される。
【００５７】
また、図１１に示されるように、発信側のＳＩＰエンドポイント装置８０２と呼制御サーバ８０１間でやり取りされるＳＩＰメッセージ内容についても、図４と同様であり、“Ｘ”パラメータを利用して、拡張パラメータに着信音識別情報（Ｘ−ＲｉｎｇｅｒＴｙｐｅ:ＴｙｐｅＮ  １１００）を設定することで、着信側の通信端末における着信音の鳴り分けを実現している。
【００５８】
さらに、発信側がＩＰ−ＰＢＸ装置８０３の場合におけるシーケンスにおいても、図１２に示すように、ＩＰ−ＰＢＸ装置８０３から送信される接続メッセージに着信音識別情報（ＲｉｎｇｅｒＴｙｐｅ  Ｎ）を付与し、呼制御サーバ８０１へと送信するとともに、呼制御サーバ８０１では、ＩＰ−ＰＢＸ装置８０３から通知された情報をＳＩＰメッセージ（Ｆ２ ＩＮＶＩＴＥメッセージ）に含まれる着信音識別情報に変換し、着信側のＳＩＰエンドポイント装置８０５に対して通知することで、着信音の鳴り分けを実現する。
【００５９】
なお、ＩＰ−ＰＢＸ装置８０３から送信される接続メッセージは、図１３に示されるようなＩＰ−ＰＢＸ（非標準）メッセージである。
ＰＢＸ側インターフェースの呼種別からＲｉｎｇｅｒＴｙｐｅ値（ＲｉｎｇｅｒＴｙｐｅ Ｎ １３００）がＩＰ−ＰＢＸメッセージ内に追加され、呼制御サーバ８０１へと通知される。ＩＰ−ＰＢＸメッセージを受信した呼制御サーバ８０１は、通知された着信音識別情報（ＲｉｎｇｅｒＴｙｐｅ Ｎ）をＳＩＰ ＩＮＶＩＴＥメッセージの“Ｘ−ＲｉｎｇｅｒＴｙｐｅ:ＴｙｐｅＮ”の文字列に変換し、着信側のＳＩＰエンドポイント装置８０５へ通知する。
【００６０】
以上、詳細に説明したように本発明の第２の実施形態におけるＩＰ網通信システムおよび着信音切換方法においても、インターフェースの有無や、接続される通信網の種類に関係なく、発信側の通信端末の呼種別に応じた着信音の切り換えを行うことが可能となり、結果として、通信端末の着信音から、発信側の呼種別を識別することが可能となる。加えて、発信側のＳＩＰエンドポイント装置８０２、ＩＰ−ＰＢＸ装置８０３にて着信音識別情報を付与する第２の実施形態においては、呼制御サーバ１０４にて着信音識別情報が付与される第１の実施形態の場合と比べ、呼制御サーバを利用せずに構成された小規模なＶｏＩＰ網においても着信音の鳴り分けを実現することができるとともに、通信端末側での適用で済むため、呼制御サーバへのソフト処理の削減、管理データベースの削減をも実現することができ、更なる効果を奏することが可能となる。
【００６１】
なお、本発明における第１の実施形態、及び第２の実施形態においては、ＳＩＰに対応する呼制御サーバとＳＩＰエンドポイント装置に適用した例を示したが、ＳＩＰメッセージの拡張パラメータである“Ｘ−ＲｉｎｇｅｒＴｙｐｅ：ＴｙｐｅＮ”（着信音識別情報）をサポートすることでＳＩＰ対応装置全般に適用可能である。
【００６２】
また、ＶｏＩＰ呼制御プロトコルとして、Ｈ．３２３を適用することも可能である。この場合、呼制御サーバ（ゲートキーパ・ＩＰ−ＰＢＸサーバ）とＨ．３２３エンドポイント装置間で、Ｈ．３２３メッセージの非標準データであるＮｏｎＳｔａｎｄａｒｄＤａｔａを利用することで、着信音識別情報を通知することが可能となる。
【００６３】
本発明における第１の実施形態において、Ｈ．３２３を用いる場合においては、ゲートキーパ・ＩＰ−ＰＢＸサーバがＮｏｎＳｔａｎｄａｒｄＤａｔａデータフィールドに着信音識別情報を付与し、Ｈ．３２３エンドポイント装置に対して着信音識別情報を通知する。また、本発明における第２の実施形態において、Ｈ．３２３を用いる場合においては、Ｈ．３２３エンドポイント装置がＮｏｎＳｔａｎｄａｒｄＤａｔａデータフィールドに着信音識別情報を付与し、ゲートキーパ・ＩＰ−ＰＢＸサーバを介してＨ．３２３エンドポイント装置に対し着信音識別情報を通知する。着信側のＨ．３２３エンドポイント装置は、これらの着信音識別情報に基づき鳴り分けを実現する。
【００６４】
さらに、本発明においては、ＶｏＩＰ呼制御プロトコルとしてＭＧＣＰを適用することも可能である。ＭＧＣＰにおける呼制御サーバ（コールエージェント・ＩＰ−ＰＢＸサーバ）とＭＧＣＰエンドポイント装置間で、ＭＧＣＰメッセージの拡張パラメータである“Ｘ”パラメータを利用することで、着信音識別情報を通知することが可能となる。
【００６５】
本発明における第１の実施形態において、ＭＧＣＰを用いる場合においては、コールエージェント・ＩＰ−ＰＢＸサーバが拡張パラメータの“Ｘ”パラメータに着信音識別情報を付与し、ＭＧＣＰエンドポイント装置に対し着信音識別情報を通知する。また、本発明における第２の実施形態において、ＭＧＣＰを用いる場合においては、ＭＧＣＰエンドポイント装置が拡張パラメータの“Ｘ”パラメータに着信音識別情報を付与し、コールエージェントＩＰ−ＰＢＸサーバを介してＭＧＣＰエンドポイント装置に対し着信音識別情報を通知する。着信側のＭＧＣＰエンドポイント装置は、これらの着信音識別情報に基づき鳴り分けを実現する。
【００６６】
その他、第２の実施形態の方法においては、発信側のＶｏＩＰエンドポイント装置が発信側の通信端末の有する種別情報（端末種別・呼種別）に応じた着信音識別情報を付与する構成となっているが、第２の実施形態と同様の方法を用いて、発信側のＶｏＩＰエンドポイント装置が、この発信側の通信端末の有する種別情報に応じた着信音識別情報の代わりに、発信側通信端末の属性を表す情報を付与する構成を備えることで、発信者別での着信音の鳴り分けも実現することが可能となる。
【００６７】
例えば、発信側通信端末の属性種別をＴｙｐｅ１＝家族、Ｔｙｐｅ２＝友人、Ｔｙｐｅ３＝会社、Ｔｙｐｅ４＝その他に設定し、鳴動パターンは、家族＝ＳＩＲ、友人＝ＩＲ、会社＝ＴＩＲその他＝その他の着信音に設定することで、応答する前に電話端末機の着信音から相手呼種別を識別できるようになる。この場合における着信音識別情報の付与する方法は、発信側エンドポイント装置が宛先電話番号ごとにＴｙｐｅ１（家族）、Ｔｙｐｅ２（友人）、Ｔｙｐｅ３（会社）の３種をデータベースで管理することで、ダイヤルされた番号が上記３種の番号と一致した場合にそれぞれのＴｙｐｅを付与し、一致しない場合は、Ｔｙｐｅ４（その他）を付与することで実現する。この着信音の鳴り分け方法は、主に公衆網ＩＰ電話網（０５０網）に適用することもできる。
【００６８】
さらに、本第２の実施形態においては、発信側のエンドポイント装置において、自身の有する端末・呼種別に応じた着信音識別情報を付与する場合を例に挙げて説明を行ったが、この他にも、例えば、着信側のエンドポイント装置が、ＳＩＰシーケンスの「Ｆ５／Ｆ６の１８０Ｒｉｎｇｉｎｇ」に着信側の通信端末の呼種別に応じた識別情報（呼出音識別情報）を付与することで、呼出中音（ＲＢＴ：Ｒｉｎｇ Ｂａｃｋ Ｔｏｎｅ）の切り換えも可能となる。このように呼出中音の鳴り分けを実現することにより、結果として、相手電話番号から呼種別が特定できない場合でも呼出中音から着信者の呼種別を特定できるようになるといった効果も奏することが可能となる。
【図面の簡単な説明】
【００６９】
【図１】第１の実施形態におけるＩＰ網通信システムの構成を示す構成図である。
【図２】第１の実施形態におけるＩＰ網通信システムを用いた着信音情報通知方法を説明する概略図である。
【図３】第１の実施形態におけるＩＰ網通信システムにおいて、発信側の通信端末に接続されたエンドポイント装置を介した場合における着信音の鳴り分けを示すシーケンス図である。
【図４】図３にて説明したシーケンスにおいて、呼制御サーバ及び着信側のエンドポイント装置間でやり取りされるメッセージ内容を示す図である。
【図５】第１の実施形態におけるＩＰ網通信システムにおいて、着信音識別情報を付与する呼制御サーバ１０４に設けられる発信装置・呼種別による鳴動パターン種別を含むテーブルを説明する図である。
【図６】第１の実施形態におけるＩＰ網通信システムにおいて、ＩＰネットワークに接続されたＩＰ−ＰＢＸ装置を介した場合における着信音の鳴り分けを示すシーケンス図である。
【図７】本発明のＩＰ網通信システムを構成する各構成要素を示したブロック図である。
【図８】第２の実施形態におけるＩＰ網通信システムの構成を示す構成図である。
【図９】第２の実施形態におけるＩＰ網通信システムを用いた着信音情報通知方法を説明する概略図である。
【図１０】第２の実施形態におけるＩＰ網通信システムにおいて、発信側の通信端末に接続されたエンドポイント装置を介した場合における着信音の鳴り分けを示すシーケンス図である。
【図１１】図１０にて説明したシーケンスにおいて、発信側のエンドポイント装置及び呼制御サーバ間でやり取りされるメッセージ内容を示す図である。
【図１２】第２の実施形態におけるＩＰ網通信システムのＩＰネットワークに接続されたＩＰ−ＰＢＸ装置を介する場合での着信音の鳴り分けを示すシーケンス図である。
【図１３】図１２にて説明したシーケンスにおいて、発信側であるＩＰ−ＰＢＸ装置及び呼制御サーバ間でやり取りされるメッセージ内容を示す図である。
【図１４】従来の着信音切換を可能とするＩＰ網通信システムでの着信音の鳴り分け技術を説明する図である。
【符号の説明】
【００７０】
１００          ＩＰ網通信システム
１０１          ＶｏＩＰ網
１０２ａ、１０２ｂ、１０２ｃ、１０３  通信端末  
１０４          呼制御サーバ
１０５ａ、１０５ｂ、１０５ｃ、１０６  エンドポイント装置  
１０７          ＩＰ−ＰＢＸ装置
１０８ａ        局線回線
１０８ｂ        専用線回線
１０８ｃ        内線回線
【図１】
2006237891.tif 000003
【図２】
2006237891.tif 000004
【図３】
2006237891.tif 000005
【図４】
2006237891.tif 000006
【図５】
2006237891.tif 000007
【図６】
2006237891.tif 000008
【図７】
2006237891.tif 000009
【図８】
2006237891.tif 000010
【図９】
2006237891.tif 000011
【図１０】
2006237891.tif 000012
【図１１】
2006237891.tif 000013
【図１２】
2006237891.tif 000014
【図１３】
2006237891.tif 000015
【図１４】
2006237891.tif 000016